(57)【要約】【課題】携帯電話による送着信信号を感知して発光部が点灯・点滅すると共に携帯電話による送着信信号とは関係なく発光部が点灯・点滅することが出来るようにした携帯電話に着脱できるマスコットの提供。【解決手段】マスコット枠体１に電源部２と連通して携帯電話による送着信信号を感知して作動する自動点灯・点滅回路部３と、該自動点灯・点滅回路部３と連通して作動する発光部４を設けると共に電源部２と連通してマスコット枠体１の外部に露出したスイッチ部５の手動操作で作動する手動点灯・点滅回路部６と、該手動自動点灯・点滅回路部３と連通して作動する発光部４を設け、且つマスコット枠体１には携帯電話のアンテナに近接して着脱させる取付体を設けたことを特徴としている。【選択図】図４
0003117265.tif 000002
【実用新案登録請求の範囲】
【請求項１】
マスコット枠体１に電源部２と連通して携帯電話による送着信信号を感知して作動する自動点灯・点滅回路部３と、該自動点灯・点滅回路部３と連通して作動する発光部４を設けると共に電源部２と連通してマスコット枠体１の外部に露出したスイッチ部５の手動操作で作動する手動点灯・点滅回路部６と、該手動自動点灯・点滅回路部３と連通して作動する発光部４を設け、且つマスコット枠体１には携帯電話のアンテナに近接して着脱させる取付体７を設けたことを特徴とする携帯電話に着脱できるマスコット。
【考案の詳細な説明】
【技術分野】
【０００１】
この考案は、携帯電話による送着信信号を感知して発光部が点灯・点滅すると共に携帯電話による送着信信号とは関係なく発光部が点灯・点滅することが出来るようにして変化に富み面白く、使用上極めて好適な携帯電話に着脱できるマスコットに関するものである。
【背景技術】
【０００２】
従来、携帯電話のアンテナに近接して取り着けて、携帯電話による送着信信号を感知して発光部が点灯・点滅するようにしたマスコットは知られている。
【０００３】
ところでこのマスコットは携帯電話の全ての送着信信号に対応することなく、特定の機種のみに適用されるものであって一般に市販されている多くの機種に適用されるようにすることは送着信信号を感知する回路が複雑化し、コスト高となるものである。
【０００４】
よって、携帯電話を使用する一般大衆が全ての送着信信号に対応するマスコットを安価に提供することは極めて無理なことである。
【特許文献１】特開２００５−２３６７６２号公報
【考案の開示】
【考案が解決しようとする課題】
【０００５】
この考案は上記の問題点を解決したもので、特定の機種のみの携帯電話には、その携帯電話による送着信信号を感知して発光部が点灯・点滅すると共に特定の機種以外の携帯電話による場合でも、その携帯電話による送着信信号とは関係なく手動によって発光部が点灯・点滅することが出来るようにして携帯電話による送着信信号によって発光部が点灯・点滅しているように見せかけることができて変化に富み面白く、更に携帯電話とは関係が無いカバンの提げ手等に取り付けている場合でも適宜発光部を点灯・点滅させることができて楽しみながら携帯することができて使用上極めて好適な携帯電話に着脱できるマスコットを得ることを目的としたものである。
【課題を解決するための手段】
【０００６】
上記の目的を達成するためこの考案は、携帯電話に着脱できるマスコットで、マスコット枠体１に電源部２と連通して携帯電話による送着信信号を感知して作動する自動点灯・点滅回路部３と、該自動点灯・点滅回路部３と連通して作動する発光部４を設けると共に電源部２と連通してマスコット枠体１の外部に露出したスイッチ部５の手動操作で作動する手動点灯・点滅回路部６と、該手動自動点灯・点滅回路部３と連通して作動する発光部４を設け、且つマスコット枠体１には携帯電話のアンテナに近接して着脱させる取付体７を設けたものである。
【考案の効果】
【０００７】
この考案は以上のような構成であり、携帯電話に着脱てきる動物や人形等の形状をしたマスコットは携帯電話に装着し幸運をもたらすものと信じて携帯電話と共に大事に扱われているものであり、又携帯電話より外しても幸運をもたらすものとして身辺に装着し大事に扱われているものである。
【０００８】
又この考案のマスコットはマスコット枠体１に電源部２と連通して携帯電話による送着信信号を感知して作動する自動点灯・点滅回路部３と、該自動点灯・点滅回路部３と連通して作動する発光部４を設け、且つマスコット枠体１には携帯電話のアンテナに近接して着脱させる取付体７を設けたので携帯電話への装着が容易確実であると共に通話中は発光部４が点灯・点滅して会話を楽しくすることができるものであると共に会話中であることを夜間の道路等で他人が知ることがて交通安全上も極めて好都合である。
【０００９】
又この考案のマスコットはマスコット枠体１に備えた電源部２と連通してマスコット枠体１の外部に露出したスイッチ部５の手動操作で作動する手動点灯・点滅回路部６と、該手動自動点灯・点滅回路部３と連通して作動する発光部４を設け、且つマスコット枠体１には携帯電話のアンテナに近接して着脱させる取付体７を設けたので使用している携帯電話が発光部４の自動点灯・点滅に対応しない場合でもスイッチ部５の手動操作で発光部４を点灯・点滅させることができて会話を楽しくすることができるものであると共に会話中であることを夜間の道路等で他人が知ることがて交通安全上も極めて好都合である。
【００１０】
又この考案のマスコットは携帯電話と分離しても取付体７を介して身辺に装着し、幸運をもたらすものとして携帯に寄与するものであり、又マスコット枠体１に備えた電源部２と連通してマスコット枠体１の外部に露出したスイッチ部５の手動操作で作動する手動点灯・点滅回路部６と、該手動自動点灯・点滅回路部３と連通して作動する発光部４を設けたので夜間の携帯時にはスイッチ部５の手動操作で発光部４を点灯・点滅させることができて交通安全上も極めて好都合である。
【００１１】
以上のようにこの考案は特定の機種のみの携帯電話には、その携帯電話による送着信信号を感知して発光部が点灯・点滅すると共に特定の機種以外の携帯電話による場合でも、その携帯電話による送着信信号とは関係なく手動によって発光部が点灯・点滅することが出来るようにして携帯電話による送着信信号によって発光部が点灯・点滅しているように見せかけることができて変化に富み面白く、更に携帯電話とは関係が無いカバンの提げ手等に取り付けている場合でも適宜発光部を点灯・点滅させることができて楽しみながら携帯することができ、更に夜間の道路等で他人に知らせることがて交通安全上も好都合であり使用上極めて好適な使用勝手が良い便利な携帯電話に着脱できるマスコットを得ることができるようにした優れた効果を奏するものである。
【考案を実施するための最良の形態】
【００１２】
以下、この考案の実施の形態を図１〜図５に基いて説明する。
【実施例１】
【００１３】
この考案は、携帯電話８に着脱できるマスコットで、マスコット枠体１に電源部２と連通して携帯電話８による送着信信号を感知して作動する自動点灯・点滅回路部３と、該自動点灯・点滅回路部３と連通して作動する発光部４を設けると共に電源部２と連通してマスコット枠体１の外部に露出したスイッチ部５の手動操作で作動する手動点灯・点滅回路部６と、該手動自動点灯・点滅回路部３と連通して作動する発光部４を設け、且つマスコット枠体１には携帯電話のアンテナ９に近接して着脱させる取付体７を設けたものである。
【００１４】
又、図示したマスコット枠体１は玩具戦車体１０と自衛官人形体１１を表した形状とすると共に玩具戦車体１０の砲筒部と自衛官人形体１１の顔面部に発光部４を設けてその発光部４が点灯・点滅するようにしたものであるがマスコット枠体１の形状は図示した形状に限るものではない。
【００１５】
又、図示した取付体７は自衛官人形体１１の上部より紐状の形状として携帯電話８のアンテナ９に巻付け易く、又は携帯電話８より外して携帯する場合はカバンの提げ手部（図示せず）等に巻付けて取付け易くしたものであるが取付体７の形状は図示した形状に限るものではない。
【図面の簡単な説明】
【００１６】
【図１】この考案の正面図である。
【図２】この考案の上面図である。
【図３】この考案の側面図である。
【図４】この考案のブロック図である。
【図５】この考案の携帯電話に着脱できるマスコットを携帯電話に装着した状態を示した説明正面図である。
【符号の説明】
【００１７】
１  マスコット枠体
２  電源部
３  送着信信号を感知して作動する自動点灯・点滅回路部
４  発光部
５  スイッチ部
６  手動操作で作動する手動点灯・点滅回路部
７  取付体
８  携帯電話
９  アンテナ
１０  玩具戦車体
１１  自衛官人形体
【図１】
0003117265.tif 000003
【図２】
0003117265.tif 000004
【図３】
0003117265.tif 000005
【図４】
0003117265.tif 000006
【図５】
0003117265.tif 000007